【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
基板を備えている光学構造であって、
前記基板は、
前記基板の第１の表面上にあり、かつ前記基板の縁の近位にある第１の縁格子パターンであって、前記第１の縁格子パターンは、前記基板の前記縁から前記第１の縁格子パターンの中への材料の毛細管流を制御するために配置されている、第１の縁格子パターンと、
前記基板の第２の表面上にある第２の縁格子パターンであって、前記第２の格子パターンは、直交瞳エキスパンダ（ＯＰＥ）領域および射出瞳エキスパンダ（ＥＰＥ）領域のうちの１つ以上を含む、第２の縁格子パターンと
を含む、光学構造。
【請求項２】
前記第１の縁格子パターンは、前記基板の前記縁に実質的に垂直であるように配置されている１つ以上の特徴を含む、請求項１に記載の光学構造。
【請求項３】
前記第１の縁格子パターンは、Ｖ形格子パターン、Ｓ形格子パターン、および長方形格子パターンのうちの１つ以上を含む、請求項１に記載の光学構造。
【請求項４】
前記第１の縁格子パターンは、前記第１の縁格子パターンを越える前記材料の毛細管流を阻止するためにさらに配置されている、請求項１に記載の光学構造。
【請求項５】
前記第１の縁格子パターンは、前記基板の前記縁に実質的に平行であるように配置されている１つ以上の特徴を含む、請求項４に記載の光学構造。
【請求項６】
前記第１の縁格子パターンは、前記基板の前記縁に実質的に垂直であるように配置されている１つ以上の第１の特徴を含み、
前記第１の縁格子パターンは、前記基板の前記縁に実質的に平行であるように、かつ前記第１の縁格子パターンを越える前記材料の毛細管流を阻止するために配置されている１つ以上の第２の特徴を含み、
前記１つ以上の第２の特徴は、少なくとも部分的に、深度、高さ、および幅のうちの少
なくとも１つにおいて前記１つ以上の第１の特徴とは異なる、請求項１に記載の光学構造。
【請求項７】
前記材料は、前記基板のそれより低い屈折率を有する、請求項１に記載の光学構造。
【請求項８】
前記材料は、適用されているとき、前記基板の前記縁からの距離に従って変動する屈折
率の勾配を有する、請求項１に記載の光学構造。
【請求項９】
前記第１の縁格子パターンは、少なくとも１つの多角形の断面形状を有する１つ以上の特徴を含む、請求項１に記載の光学構造。
【請求項１０】
前記少なくとも１つの多角形は、三角形、正方形、および長方形のうちの１つ以上を含む、請求項９に記載の光学構造。
【請求項１１】
前記基板は、光を受け取り、それを伝搬するように構成された導波管であり、
前記材料は、前記導波管から光を受け取り、それを吸収するように構成された光可変吸
収性縁材料である、請求項１に記載の光学構造。
【請求項１２】
前記材料および前記基板は、実質的に同じ屈折率を有する、請求項１に記載の光学構造。
【請求項１３】
前記材料は、ドープ剤と、接着剤とを備えている、請求項１に記載の光学構造。
【請求項１４】
前記ドープ剤は、前記導波管の前記縁からの距離とともに変動する勾配で分配されてい
る、請求項１３に記載の光学構造。
【請求項１５】
前記ドープ剤は、カーボンブラックナノ粒子を備えている、請求項１３に記載の光学構
造。
【請求項１６】
前記カーボンブラックナノ粒子は、５０〜７０ｎｍの範囲の直径を有する、請求項１５
に記載の光学構造。
【請求項１７】
前記材料は、ドープ剤と、接着テープの少なくとも１つの層に含まれる接着剤とのうちの少なくとも１つを備えている、請求項１に記載の光学構造。
【請求項１８】
前記接着テープおよび前記基板は、実質的に同じ屈折率を有する、請求項１７に記載の
光学構造。
【請求項１９】
前記基板は、前記光学構造に含まれる基板の複数の層のうちの１つであり、
前記複数の層の各々は、それぞれの前記層の縁の近位に前記第１の縁格子パターンを含み、
前記材料は、前記基板の複数の層を固定するために前記光学構造の外周の少なくとも一
部に沿って適用された縁接着剤である、請求項１に記載の光学構造。
【請求項２０】
前記基板の複数の層の各々は、前記第２の格子パターンをさらに含む、請求項１９に記載の光学構造。
【請求項２１】
前記第１の縁格子パターンは、前記第１の縁格子パターンの中への前記縁接着剤の毛細管流を提供するために配置され、前記縁格子パターンは、前記第２の格子パターンの中への前記縁接着剤の毛細管流を阻止するためにさらに配置されている、請求項２０に記載の光学構造。
【請求項２２】
前記第２の格子パターンは、ナノスケールであり、光伝搬のための導波管として動作し、
前記第１の縁格子パターンは、マイクロスケールおよびナノスケールのうちの１つ以上である、請求項２０に記載の光学構造。
【手続補正２】
【補正対象書類名】明細書
【補正対象項目名】００３１
【補正方法】変更
【補正の内容】
【００３１】
本開示の１つ以上の実施形態の詳細が、付随の図面および下記の説明に記載される。本
開示の他の特徴および利点が、説明ならびに図面から、および請求項から明白となるであ
ろう。
本願明細書は、例えば、以下の項目も提供する。
（項目１）
基板を備えている光学構造であって、
前記基板は、前記基板の縁の近位にある縁格子パターンを含み、前記縁格子パターンは
、前記基板の前記縁から前記縁格子パターンの中への材料の毛細管流を制御するために配
置された１つ以上の特徴を含む、光学構造。
（項目２）
前記縁格子パターンは、前記基板の第１の表面上にあり、
前記基板は、前記基板の第２の表面上の第２の格子パターンをさらに含む、項目１に記載の光学構造。
（項目３）
前記第２の格子パターンは、直交瞳エキスパンダ（ＯＰＥ）領域および射出瞳エキスパ
ンダ（ＥＰＥ）領域のうちの１つ以上のものを含む機能的格子パターンである、項目２に記載の光学構造。
（項目４）
前記１つ以上の特徴は、前記基板の前記縁に実質的に垂直であるように配置されている
、項目１に記載の光学構造。
（項目５）
前記１つ以上の特徴は、Ｖ形格子パターン、Ｓ形格子パターン、および長方形格子パタ
ーンのうちの１つ以上のものを含む、項目１に記載の光学構造。
（項目６）
前記縁格子パターンは、前記縁格子パターンを越える前記材料の毛細管流を阻止するた
めに配置された１つ以上の第２の特徴をさらに含む、項目１に記載の光学構造。
（項目７）
前記１つ以上の第２の特徴は、前記基板の縁に実質的に平行であるように配置されてい
る、項目６に記載の光学構造。
（項目８）
前記１つ以上の第２の特徴は、少なくとも部分的に、深度、高さ、および幅のうちの少
なくとも１つにおいて前記１つ以上の特徴とは異なる、項目６に記載の光学構造。
（項目９）
前記材料は、前記基板のそれより低い屈折率を有する、項目１に記載の光学構造。
（項目１０）
前記材料は、適用されているとき、前記基板の前記縁からの距離に従って変動する屈折
率の勾配を有する、項目１に記載の光学構造。
（項目１１）
前記１つ以上の特徴は、少なくとも１つの多角形の断面形状を有する、項目１に記載の光学構造。
（項目１２）
前記少なくとも１つの多角形は、三角形、正方形、および長方形のうちの１つ以上のも
のを含む、項目１１に記載の光学構造。
（項目１３）
前記基板は、光を受け取り、それを伝搬するように構成された導波管であり、
前記材料は、前記導波管から光を受け取り、それを吸収するように構成された光可変吸
収性縁材料である、項目１に記載の光学構造。
（項目１４）
前記材料および前記基板は、実質的に同じ屈折率を有する、項目１に記載の光学構造。
（項目１５）
前記材料は、ドープ剤と、接着剤とを備えている、項目１に記載の光学構造。
（項目１６）
前記ドープ剤は、前記導波管の前記縁からの距離とともに変動する勾配で分配されてい
る、項目１５に記載の光学構造。
（項目１７）
前記ドープ剤は、カーボンブラックナノ粒子を備えている、項目１５に記載の光学構造。
（項目１８）
前記カーボンブラックナノ粒子は、５０〜７０ｎｍの範囲の直径を有する、項目１７に記載の光学構造。
（項目１９）
前記材料は、接着テープの少なくとも１つの層を備えている、項目１に記載の光学構造。
（項目２０）
前記接着テープは、ドープ剤と、接着剤とを備えている、項目１９に記載の光学構造。
（項目２１）
前記接着テープおよび前記基板は、実質的に同じ屈折率を有する、項目１９に記載の光学構造。
（項目２２）
前記基板は、前記光学構造に含まれる基板の複数の層のうちの１つであり、
前記複数の層の各々は、それぞれの前記層の縁の近位に前記縁格子パターンを含み、
前記材料は、前記基板の複数の層を固定するために前記光学構造の外周の少なくとも一
部に沿って適用された縁接着剤である、項目１に記載の光学構造。
（項目２３）
前記基板の複数の層の各々は、第２の格子パターンをさらに含む、項目２２に記載の光学構造。
（項目２４）
前記縁格子パターンは、前記縁格子パターンの中への前記縁接着剤の毛細管流を提供す
るために配置され、前記縁格子パターンは、前記第２の格子パターンの中への前記縁接着
剤の毛細管流を阻止するためにさらに配置されている、項目２３に記載の光学構造。
（項目２５）
前記第２の格子パターンは、ナノスケールであり、光伝搬のための導波管として動作し
、
前記縁格子パターンは、マイクロスケールおよびナノスケールのうちの１つ以上のもので
ある、項目２３に記載の光学構造。